(57)【要約】      （修正有）【課題】洗顔や飲水が直接、かつ容易に出来、吐水管よりの吐水が自動的に出来る簡便構造の吐水の制御部付吐水管手動回転式水栓を提供する。【解決手段】吐水管１として第１の吐水管１ｂと第２の吐水管１ａとからなり、第２の吐水管１ａは手動で３６０°回転出来る。水栓本体２には、電波発信体３と開閉弁４が設けられ、第２の吐水管１ａの近くに物が近づくと電波発信体３から発信している電波の一部が遮断され、制御部５のコントロールによる開閉弁４が自動的に開放し、第２の吐水管１ａからの自動的な吐水が行われる。【選択図】図１
0003199725.tif 000002
【実用新案登録請求の範囲】
【請求項１】
流し台等の如く縁部を有する物体のその縁部に立設して配置される水栓本体と該水栓本体の先端側に略水方向に伸延して配置される吐水管とからなる水栓であって、該水栓は、前記吐水管が前記水栓本体に基端部を固定されて略水平方向に伸延する第１の吐水管と該第１の吐水管の先端に手動で３６０°回転出来、吐出口を付する第２の吐水管とからなり、前記水栓本体には上方，前方，下方に向かって電波を発信する電波発信体が設けられると共に吐水の開閉弁が設けられ、前記電波発信体及び前記開閉弁は前記電波発信体の電波制御と電波の発信状態の変化によって前記開閉弁を開閉制御する制御部が連結されることを特徴とする吐水の制御部付吐水管手動回転式水栓。
【請求項２】
前記制御部の電源が１００ｖ又は電池であることを特徴とする吐水の制御部付吐水管手動回転式水栓。
【考案の詳細な説明】
【技術分野】
【０００１】  本考案は流し台のように縁部を有する物体の縁部に水栓本体が立設して配置されその先端に略水平方向に伸延する吐水管を有する水栓であって、前記水栓本体には制御部によりコントロールされる電波発信体と開閉弁が設けられると共に前記吐水管が水栓本体に固定する第１の吐水管とこの先端側に手動で３６０°回転することが出来、吐出口を有する第２の吐水管を有するものからなる吐水の制御部付吐水管手動回転式水栓に関する。
【背景技術】
【０００２】  図４に示すように流し台７の縁部８には図示のような水栓１００Ａが一般に立設して配置されている。水栓１００Ａは縁部８から立設しハンドル１２を有する水栓本体２Ａとこの先端に基端部を連結固定し、水平方向に伸延する吐水管１Ａ等とからなり、吐水管１Ａの先端には吐出口９Ａが設けられている。なお、水栓本体２Ａは水供給源６に連結されている。
一方、縁部に立設して使用されている水栓としては「特許文献１」に示すものがある。
【先行技術文献】
【特許文献】
【０００３】
【特許文献１】特開２０１４−１８１４８２号（図１）
【考案の概要】
【考案が解決しようとする課題】
【０００４】  前記の図４に示す水栓１００Ａは吐水口９Ａが下向きで固定されている。一方、「特許文献１」の「特開２０１４−１８１４８２号」の「自動水栓装置」も吐水口（１１）がスパウド（１０）（水栓本体と同じもの）の先端に下向きに設けられているものからなる。このため吐水口（１１）からの水はボウル（２０）（流し台と同じもの）に直接当るように形成されている。【０００５】  従来技術は吐水口９Ａや吐出口（１１）が全て下向きのためここから吐出した水により人間の顔を直接洗顔する事は出来ない。また、吐水した水を直接飲むことは出来ずコップ等を必要とする不便さがあった。【０００６】  本考案は以上の問題点を解決すべく考案されたものであり、人間の顔や手等を水栓に近づけることにより水が自動的に吐水されると共に吐水口が３６０°の任意の位置に回転出来、吐水口を上方，前方，下方等の任意の位置に位置付けることが出来る。このため洗顔や飲水等が簡単に容易に行うことが出来る吐水の制御部付吐水管手動回転式水栓を提供することを目的とする。
【課題を解決するための手段】
【０００７】  本考案は、以上の目的を達成するために、請求項１の考案は、流し台等の如く縁部を有する物体のその縁部に立設して配置される水栓本体と該水栓本体の先端側に略水方向に伸延して配置される吐水管とからなる水栓であって、該水栓は、前記吐水管が前記水栓本体に基端部を固定されて略水平方向に伸延する第１の吐水管と該第１の吐水管の先端に手動で３６０°回転出来、吐出口を付する第２の吐水管とからなり、前記水栓本体には上方，前方，下方に向かって電波を発信する電波発信体が設けられると共に吐水の開閉弁が設けられ、前記電波発信体及び前記開閉弁は前記電波発信体の電波制御と電波の発信状態の変化によって前記開閉弁を開閉制御する制御部が連結されることを特徴とする。【０００８】  また、請求項２の考案は、前記制御部の電源が１００ｖ又は電池であることを特徴とする。
【考案の効果】
【０００９】  本考案の請求項１の吐水の制御部付吐水管手動回転式水栓によれば、第２の吐水管が手動により３６０°のいずれの位置まで回転することが出来るため洗顔や飲水等を直接、かつ簡単に行うことが出来ると共に顔や手を吐水管に近づけるだけで吐水が自動的に行われる。また、全体構造が簡便のものからなり、比較的安価に実施することが出来る。【００１０】  また、請求項２の吐水の制御部付吐水管手動回転式水栓によれば、制御部の電源１３が家庭用の１００ｖ電源でよく、特別の電源を必要としない。また、電池の使用も出来るため電源のない所でも設置することが出来、便利である。
【図面の簡単な説明】
【００１１】
【図１】本考案の吐水の制御部付吐水管手動回転式水栓の全体構造を示す模式図。
【図２】本考案の吐水の制御部付吐水管手動回転式水栓の第２の吐水管の回転状態を説明するための模式図。
【図３】本考案の吐水の制御部付吐水管手動回転式水栓による人間の飲水状態を示す模式図。
【図４】従来の水栓の全体構造を示す模式図。
【考案を実施するための形態】
【００１２】  以下、本考案の吐水の制御部付吐水管手動回転式水栓の実施の形態を図面に基いて詳細に説明する。
【００１３】  図１に示すように本考案の吐水の制御部付吐水管手動回転式水栓１００は流し台７の縁部８に立設する水栓本体２とこの先端に基端側を連結固定されて略水平方向に伸延する吐水管１と制御部５等とからなる。なお、水栓本体２は水供給源６に連通されている。
【００１４】  吐水管１は第１の吐水管１ｂとこの先端側に手動で３６０°回転自在に連結されている第２の吐水管１ａとからなり、第２の吐水管１ａの先端には吐水口９が設けられている。図２は第２の吐水管１ａの３６０°の回転の状態を示す。
【００１５】  水栓本体２には電波発信体３と開閉弁４が設けられている。
【００１６】  電波発信体３は上方，前方，下方に向かって電波を発信するもので従来技術が適用されるが例えば赤外線を発信するセンサー等が使用される。
【００１７】  開閉弁４は前記のように水栓本体２の内部に設けられているものからなり、水供給源６からの水の連通や遮断を行う構造からなり従来技術のものが適用され、その構造説明は省略する。
【００１８】  電波発信体３は図示のように水栓本体２の前面側に設けられその構造としては従来議事湯津におけるセンサー等が適用されるもので例えば赤外線を発信するセンサーの如きものからなる。勿論これに限定するものではなく、電波を発信し制御可能のものであればよい。また、発信方向としては第２の吐水管１ａの３６０°回転する全域にわたるものであればよい。
【００１９】  開閉弁４は前記のように水栓本体２内に設けられるものであり、水供給源６からの水の連通や遮断を行う構造のものからなり、従来技術が適用されるものでその構造等の説明は省略する。
【００２０】  電波発信体３や開閉弁４は制御部５によりコントロールされる。制御部５は電波検出部５ａと開閉弁制御部５ｂを有するものからなる。電波検出部５ａは電波発信体３から発信される電波の変化を検出するものからなり、その検出度により開閉弁制御部５ｂをコントロールするものからなる。
開閉弁制御部５ｂは電波検出部５ａからの信号により開閉弁４の開閉動作を行う構造のものからなる。この電源は１００ｖ又は電池であり特別のものを使用する必要もなく、電源のない所でも使用出来る。
【００２１】  開閉弁制御部５ｂのコントロールは次のようにして行われる。第２の吐水管１ａの筒所に何物かが近接しない自由状態では電波発信体３からの電波は変化しないが、何物かが第２の吐水管１ａの近くに来ると電波発信体３から発信している電波の一部が遮断される。これにより、電波検出部５ａが遮断状態を検出し開閉弁制御部５ｂに開閉信号を送りこれにより開閉弁制御部５ｂが作動し水栓本体２内の開閉弁４を開放する。これにより第２の吐水管１ａと水供給源６とが連通し水の吐出や噴出が行われる。
【００２２】  例えば第２の吐水管１ａを手動で回転させてその吐水口９を上方の位置に向けると前記のように吐水が行われる。この吐水は上向きに行われるため洗顔や飲水は直接に行うことが出来る。
図３はその様子を示すものであり、第２の吐水管１ａの吐水口９に人間１１の口１０を近づけることにより飲水が直接行われる。勿論洗顔も直接行われる事になる。また、第２の吐水管１ａの回転位置を変える事により色々な吐水が行われ所望の水使用の目的を達成する事が出来る。
【００２３】  本考案は以上の内容のものからなるがその内容は前記の説明内容に限定するものではなく、同一技術的範疇のものが適用されることは勿論である。
【産業上の利用可能性】
【００２４】  本考案の吐水の制御部付吐水管手動回転式水栓は流し台７の縁部に限らず縁部を有する物に対して全て適用されるものであり、その利用範囲は広い。
【符号の説明】
【００２５】１      吐水管
１ａ    第２の吐水管
１ｂ    第１の吐水管
２      水栓本体
３      電波発信体
４      開閉弁
５      制御部
５ａ    電波検出部
５ｂ    開閉弁制御部
６      水供給源
７      流し台
８      縁部
９      吐水口
１０    口
１１    人間
１２    ハンドル
１３    電源
１００  吐水の制御部付吐水管手動回転式水栓
【図１】
0003199725.tif 000003
【図２】
0003199725.tif 000004
【図３】
0003199725.tif 000005
【図４】
0003199725.tif 000006
【手続補正書】
【提出日】平成27年6月23日(2015.6.23)
【手続補正１】
【補正対象書類名】実用新案登録請求の範囲
【補正対象項目名】請求項２
【補正方法】変更
【補正の内容】
【請求項２】
前記制御部の電源が１００Ｖ又は電池であることを特徴とする請求項１に記載の吐水の制御部付吐水管手動回転式水栓。
【手続補正２】
【補正対象書類名】明細書
【補正対象項目名】０００８
【補正方法】変更
【補正の内容】
【０００８】  また、請求項２の考案は、前記制御部の電源が１００Ｖ又は電池であることを特徴とする。
【手続補正３】
【補正対象書類名】明細書
【補正対象項目名】００２０
【補正方法】変更
【補正の内容】
【００２０】  電波発信体３や開閉弁４は制御部５によりコントロールされる。制御部５は電波検出部５ａと開閉弁制御部５ｂを有するものからなる。電波検出部５ａは電波発信体３から発信される電波の変化を検出するものからなり、その検出度により開閉弁制御部５ｂをコントロールするものからなる。
開閉弁制御部５ｂは電波検出部５ａからの信号により開閉弁４の開閉動作を行う構造のものからなる。この電源は１００Ｖ又は電池であり特別のものを使用する必要もなく、電源のない所でも使用出来る。